(57)【要約】【課題】直線形状の外観を維持しつつ、原稿先端の落ち込み防止でき原稿挿入作業性に優れたものとする。【解決手段】画像形成装置１００のプロッタ部１１０にはカバー部材１５０が開閉自在に配置され、原稿ガイド部１２６を備える画像読取装置１２０は胴内排紙部１３０を挟んでプロッタ部１１０の上方に配置され、画像読取装置１２０には、カバー部材１５０の上方に原稿テーブル１６０が設けられ、原稿テーブル１６０は、一端部１６３が原稿ガイド部１２６に乗り上げる原稿案内位置、一端部１６３が原稿ガイド部１２６から離間した引出位置、前記引出位置から前記一端部付近を中心として他端が持ち上げられ、前記上蓋部の開放の障害とならない開放位置に移動できるよう構成される。【選択図】図１
2010288051.tif 000002
【特許請求の範囲】
【請求項１】
上面を原稿が搬送される原稿ガイド部と、この原稿ガイド部の下に前記原稿の搬送方向に対して直角をなすよう延設され、搬送される原稿下面の画像を主走査方向に読み取るスキャナ部と、その上面が前記ガイド部の上面と略同一面となるよう延設され原稿が配置される原稿テーブルと、装置本体に対して開閉可能な上蓋部を備えた作像部とを備え、前記スキャナ部、前記原稿テーブルと前記作像部の間に排紙収納部となる空間部を設けた画像形成装置に配置される画像読取装置において、
前記原稿テーブルは、原稿テーブルを前記原稿ガイド部から離間する方向に移動可能なスライド機構と、前記原稿ガイド部から離間した状態で原稿ガイド部と反対側の端部が上昇するよう回動可能に支持する回動機構とを備え、
原稿テーブルの一端部が前記原稿ガイド部上に乗り上げ前記原稿ガイドと略面一となる原稿案内位置、
原稿テーブルの一端部が前記原稿ガイド部と離間された引出位置、
前記引出位置から前記一端部付近を中心として他端が持ち上げられ、前記上蓋部の開放の障害とならない開放位置に移動できることを特徴とする画像読取装置。
【請求項２】
前記回動機構には、前記原稿テーブルを一定の回動位置で停止させるストッパ部材を備えることを特徴とする請求項１に記載の画像読取装置。
【請求項３】
原稿テーブルが所定の位置にセットされていることを検知する検知手段を備えることを特徴とする請求項１又は請求項２に記載の画像読取装置。
【請求項４】
前記原稿テーブルのセット状態を通知する通知手段を備えることを特徴とする請求項３に記載の画像読取装置。画像読取装置。
【請求項５】
前記原稿テーブルと前記作像部の上蓋部とを連動して回動させる連動手段を備えることを特徴とする請求項１乃至請求項４のいずれかに記載の画像読取装置。
【請求項６】
請求項１乃至請求項５のいずれかに記載の画像読取装置を備えることを特徴とする画像形成装置。
【発明の詳細な説明】
【技術分野】
【０００１】
本発明は画像読取装置及び画像形成装置に係り、特にシートスルータイプの画像読取装置及びこの画像読取装置を備えた画像形成装置に関する。
【背景技術】
【０００２】
画像形成装置として、上面を原稿が搬送される原稿ガイド部と、この原稿ガイド部の下に前記原稿の搬送方向に対して直角をなすよう延設され、搬送される原稿下面の画像を主走査方向に読み取るスキャナ部と、その上面が前記ガイド部の上面と略同一面となるよう延設され原稿が配置される原稿テーブルと、装置本体に対して開閉可能な上蓋部を備えた作像部とを備え、前記スキャナ部、前記原稿テーブルと前記作像部の間に排紙収納部となる空間部を設けたものがある。
【０００３】
このような画像形成装置として、特許文献１には、作像部の上部端が原稿テーブルの先端部を、テーブル回転軸を支点として回転させて押し上げ、作像部を所定の角度まで開くことができるようにし、この状態では、原稿テーブルの先端部が大きく開き、視認性がよい、即ち、作像部をクラムシェル方式で開放して原稿テーブルと干渉したとき、原稿テーブルの先端部も回転して移動するため、作像部のクラムシェル方式での開放部分を必要量まで開放でき、ジャム処理、清掃等の作業が容易にできる画像形成装置が記載されている。
【０００４】
また、原稿テーブルを備えた画像形成装置として、特許文献２には、テーブルを物置にするため、プリンタと、そのプリンタの上方に配置されるフラットベッドスキャナとを備える複合機において、フラットベッドスキャナの原稿台のガラス面を開閉自在に覆う原稿押さえカバーの上面に、原稿押さえカバーがガラス面に対して閉じた状態で、水平方向に平坦に展開されるテーブル面と、テーブル面の周端部において、テーブル面から上方に少し突出するような枠形状に形成され、テーブル面の外周を囲む縁壁とを形成すし、テーブル面を、物置台として活用することができ、また、テーブル面に載置されたものが、テーブル面から落下することを、縁壁によって防止することができるものが記載されている。
【０００５】
また、特許文献３には、原稿ホルダを円盤状のホルダ基部と、該ホルダ基部上に一体成形されて配設される下部枠と、下部枠に対して開閉自在の上部枠とから構成され、下部枠及び上部枠の内側には、開口部が形成され、また、ホルダ基部には、開口部に連通する開口部が形成されており、原稿ホルダは、下部枠と上部枠との間に原稿の周辺部を挟み込むようにして原稿を保持し、外形が略円形の平面形状であることから、その外形の円周方向に原稿ホルダを回転させても形状は変わらず、原稿ホルダは、平面走査型スキャナに装着した後でも回転させることが可能となるものが記載されている。
【発明の概要】
【発明が解決しようとする課題】
【０００６】
図９は従来の画像形成装置を示すものであり、（ａ）は画像形成装置の概略構成を示す模式図、（ｂ）は開閉蓋の開閉状態を示す模式図、（ｃ）は特許文献１に記載された画像形成装置を示す模式図である。
【０００７】
図９（ａ）に示すように、シートスルータイプの画像読取装置１及び原稿テーブル２を有する画像形成装置１０は、画像読取装置１及び原稿テーブル２をプロッタ部３の上方に配置し、画像読取装置１、原稿テーブル２と、プロッタ部３の間に用紙８が排紙される胴内排紙部７を形成している。また、原稿テーブル２配置された原稿は、画像読取装置１に搬送されて画像データが読み取られる。一方用紙配置部６に載置された用紙８は搬送経路Ｅを搬送され印字部５で前記画像データに基づいて印刷され、胴内排紙部７に排紙される。ここで、印字部５においては、電子写真方式、インクジェット記録方式などの公知の方法によって印刷が行われる。
【０００８】
ここで、プロッタ部３における印字部５の上方には、プロッタ部３のメンテナンス用にカバー４が開閉可能に配置されている。ここで、このような画像形成装置１０では、カバー４を開けるときに、図９（ｂ）に示すようにカバー４が原稿テーブル２に当たってしまい、十分な開口量を確保できないという課題がある。ここで、プロッタメンテナンスとは、例えば電子写真記録装置におけるトナー交換・インクジェット装置におけるヘッド交換、ジャム処理及び清掃作業などの作業をいう。
【０００９】
また、前記画像形成装置が図９（ａ）に示すような搬送経路Ｅを通り、転写紙が画像読取装置１とプロッタ部３の間にある胴内排紙部７に排紙されるような胴内排紙構成を有する場合には、排紙された用紙８をユーザが取り出す際に、原稿テーブル２によって視界が遮られるため用紙８のスタック状態や位置が確認できず取り出し作業がしにくくなる。更に、転写紙８を取り出すために胴内排紙部７に手を入れる際にも、原稿テーブル２の下から手を回り込ませる必要があり、作業性を低下させている。
【００１０】
そこで、特許文献１に記載のものは、図９（ｃ）に示すように原稿テーブル２を回動方式とすることで必要量開放可能にし、プロッタ部のメンテナンス性を向上させている。
【００１１】
図１０は従来の画像読取装置を示すものであり、（ａ）は画像読取装置の原稿テーブルを示す平面図、（ｂ）は原稿テーブルの開閉状態を示す側面図、（ｃ）は画像読取装置の不具合を示す模式図である。なお図中スキャナの上側に配置される部分は図示省略してある。
【００１２】
このような、画像読取装置１において、原稿ガイド部９には搬送される原稿Ｓの紙幅方向に沿ってスキャナ部としてＣＣＤ撮像素子１２が延設され、原稿テーブル２から原稿ガイド部９上に搬送される原稿Ｓの画像を読み取る。
【００１３】
このような、画像読取装置１においては、上述のように原稿テーブル２を開閉可能とする場合、原稿テーブル２をスムーズに回動させるため、原稿テーブル２と原稿ガイド部９の間に間隙部１１を設ける必要がある。しかし、このように間隙部１１を設けると、図１０（ｃ）に示すように、原稿Ｓを挿入するときに間隙部１１に原稿Ｓの先端部が落ち込んだり、ひっかかりを起こしたりする可能性があり原稿Ｓの挿入作業性がよくないという問題がある。
【００１４】
上記課題を解決するには、例えば図１１に示すように、原稿テーブル１３と原稿ガイド部１４の境界部に凹凸部１５を形成し、接続部を串刺形状とすることで隙間部をなくし、原稿の先端部が落ち込まないようにすることができる。しかし原稿テーブルは、ユーザにとって目に付きやすい装置正面にある場合が多く、近年、画像形成装置等の製品はそのデザイン性も重視され、製品外装に現れる形状としては、直線形状のようにシンプルな外観を好むユーザが多いことから、串刺形状のようなギザギザした線や、メカニカルな印象を与える形状が外観として存在することを好まないユーザも多く、製品に採用されにくい。
【００１５】
本発明では、上記課題を解決し、直線形状の外観を維持しつつ、原稿先端の落ち込み防止でき原稿挿入作業性に優れた画像読取装置及び画像形成装置を提供することを目的とする。
【課題を解決するための手段】
【００１６】
請求項１の発明は、上面を原稿が搬送される原稿ガイド部と、この原稿ガイド部の下に前記原稿の搬送方向に対して直角をなすよう延設され、搬送される原稿下面の画像を主走査方向に読み取るスキャナ部と、その上面が前記ガイド部の上面と略同一面となるよう延設され原稿が配置される原稿テーブルと、装置本体に対して開閉可能な上蓋部を備えた作像部とを備え、前記スキャナ部、前記原稿テーブルと前記作像部の間に排紙収納部となる空間部を設けた画像形成装置に配置される画像読取装置において、前記原稿テーブルは、原稿テーブルを前記原稿ガイド部から離間する方向に移動可能なスライド機構と、前記原稿ガイド部から離間した状態で原稿ガイド部と反対側の端部が上昇するよう回動可能に支持する回動機構とを備え、原稿テーブルの一端部が前記原稿ガイド部上に乗り上げ前記原稿ガイドと略面一となる原稿案内位置、原稿テーブルの一端部が前記原稿ガイド部と離間された引出位置、前記引出位置から前記一端部付近を中心として他端が持ち上げられ、前記上蓋部の開放の障害とならない開放位置に移動できることを特徴とする画像読取装置である。
【００１７】
請求項２の発明は、請求項１に記載の画像読取装置において、前記回動機構には、前記原稿テーブルを一定の回動位置で停止させるストッパ部材を備えることを特徴とする。
【００１８】
請求項３の発明は、画像読取装置において、原稿テーブルが所定の位置にセットされていることを検知する検知手段を備えることを特徴とする請求項１又は請求項２に記載のである。
【００１９】
請求項４の発明は、請求項３に記載の画像読取装置において、前記原稿テーブルのセット状態を通知する通知手段を備えることを特徴とする。
【００２０】
請求項５の発明は、請求項１乃至請求項４のいずれかに記載の画像読取装置において、前記原稿テーブルと前記作像部の上蓋部とを連動して回動させる連動手段を備えることを特徴とする
【００２１】
請求項６の発明は、請求項１乃至請求項５のいずれかに記載の画像読取装置を備えることを特徴とする画像形成装置である。
【発明の効果】
【００２２】
本発明に係る画像読取装置によれば、原稿テーブルは、原稿テーブルを前記原稿ガイド部から離間する方向に移動可能なスライド機構と、前記原稿ガイド部から離間した状態で原稿ガイド部と反対側の端部が上昇するよう回動可能に支持する回動機構とを備え、原稿テーブルの一端部が前記原稿ガイド部上に乗り上げ前記原稿ガイドと略面一となる原稿案内位置、原稿テーブルの一端部が前記スキャナ部原稿ガイド部と離間された引出位置、前記引出位置から前記一端部付近を中心として他端が持ち上げられ、前記上蓋部の開放の障害とならない開放位置に移動できるので、直線形状の外観を維持しつつ、原稿先端の落ち込み防止でき原稿挿入作業性、作像部のメンテナンス作業性、排紙部の用紙の視認性及び取り出しの作業性を向上させることができる。
【図面の簡単な説明】
【００２３】
【図１】原稿テーブル及びカバー部材が閉状態の画像形成装置を示す側面図である。
【図２】原稿テーブル及びカバー部材が開状態の画像形成装置を示す側面図である。
【図３】画像読取装置を示す平面図である。
【図４】原稿テーブルが開状態の画像形成装置を示す側面図である。
【図５】画像読取装置の原稿テーブルの位置を示すものであり、（ａ）は原稿案内位置を示す模式図、（ｂ）は引出位置を示す模式図、（ｃ）は開放位置を示す模式図である。
【図６】画像読取装置の操作パネルの制御系を示すブロック図である。
【図７】画像読取装置の作動を示すフローチャートである
【図８】他の実施例に係る画像形成装置を示す側面図である。
【図９】従来の画像形成装置を示すものであり、（ａ）は画像形成装置の概略構成を示す模式図、（ｂ）は開閉蓋の開閉状態を示す模式図、（ｃ）は特許文献１に記載された画像形成装置を示す模式図である。
【図１０】従来の画像読取装置を示すものであり、（ａ）は画像読取装置の原稿テーブルを示す平面図、（ｂ）は原稿テーブルの開閉状態を示す側面図、（ｃ）は画像読取装置の不具合を示す模式図である。
【図１１】改良された従来の画像読取装置の画像読取装置を示す平面図である。
【発明を実施するための形態】
【００２４】
本発明に係る画像形成装置は、例えばインクジェット記録方式の複写装置であり、以下の画像読取装置を備えている。画像読取装置は、上面を原稿が搬送される原稿ガイド部と、この原稿ガイド部の下に前記原稿の搬送方向に対して直角をなすよう延設され、搬送される原稿下面の画像を主走査方向に読み取るスキャナ部と、その上面が前記ガイド部の上面と略同一面となるよう延設され原稿が配置される原稿テーブルと、装置本体に対して開閉可能な上蓋部を備えた作像部とを備え、前記スキャナ部、前記原稿テーブルと前記作像部の間に排紙収納部となる空間部を設けた画像形成装置に配置される。画像読取装置において、前記原稿テーブルは、原稿テーブルを前記原稿ガイド部から離間する方向に移動可能なスライド機構と、前記原稿ガイド部から離間した状態で原稿ガイド部と反対側の端部が上昇するよう回動可能に支持する回動機構とを備え、原稿テーブルの一端部が前記原稿ガイド部上に乗り上げ前記原稿ガイドと略面一となる原稿案内位置、原稿テーブルの一端部が原稿ガイド部と離間された引出位置、前記引出位置から前記一端部付近を中心として他端が持ち上げられ、前記上蓋部の開放の障害とならない開放位置に移動できる。
【００２５】
本画像読取装置によれば、画像読取時は、原稿テーブルが原稿ガイド部上に乗り上げていることで、原稿テーブルと原稿ガイド部との間隙をなくし、原稿挿入作業性を改善することができる。また、原稿テーブルを回動可能な位置まで引出可能とし、そこで回動させることを可能とし、プロッタカバーの開口量を多く確保できるようにして、プロッタ部のメンテナンス作業性をさせることができる。また原稿テーブルを回動することで、プロッタから排出されたコピー用紙の視認性及び取り出しの作業性を向上させることができる。更に例によれば、外観上もシンプルな直線形状を実現可能となる。
【００２６】
また、画像読取装置の回動機構には、前記原稿テーブルを一定の回動位置で停止させるストッパ部材を備える。本画像読取装置によれば、回動した原稿テーブルがスキャナ上ユニットや装置操作パネル等に接触して衝撃を与えることを回避し、装置のキズや破壊の発生を防止することができる。
【００２７】
また、画像読取装置は、原稿テーブルが所定の位置にセットされていることを検知する検知手段を備える。原稿テーブルが所定の位置にセットされているかどうかを検知することができる。
【００２８】
また、画像読取装置は、前記原稿テーブルのセット状態を通知する通知手段を備える。原稿テーブルが所定の位置にセットされているかどうかをユーザに通知ことで、ユーザが原稿テーブルセット不良の状態で機械を使用することを防止できる。
【００２９】
また、画像読取装置は、前記原稿テーブルと前記作像部の上蓋部とを連動して回動させる連動手段を備える。原稿テーブルと作像部カバーの開放に要する作業工数を低減し、ユーザが楽に作業できるようになる。
【００３０】
更に、本画像形成装置は上記画像読取装置を備えるので、直線形状の外観を保ったまま、原稿挿入作業性のよい原稿テーブルを搭載することができ、プロッタ部のメンテナンス性及び用紙取り出し作業性を向上させることができる。
【実施例】
【００３１】
以下本発明の実施例に係る画像形成装置について説明する。図１は原稿テーブル及びカバー部材が閉状態の画像形成装置を示す側面図、図２は原稿テーブル及びカバー部材が開状態の画像形成装置を示す側面図、図３は画像読取装置を示す平面図である。
【００３２】
画像形成装置１００は、プロッタ部１１０の上部に支柱１３１、１３２を介して画像読取装置１２０が配置されて構成され、プロッタ部１１０と、画像読取装置１２０との間には、胴内排紙部１３０が形成される。
【００３３】
プロッタ部１１０内には、給紙部１１１、作像部１１２が配置され、給紙部１１１からの用紙１４０は、搬送経路Ｅ１を搬送されて作像部１１２に搬送され、更に作像部１１２からの用紙１４０は、搬送経路Ｅ２を搬送されて胴内排紙部１３０に排出される。また、プロッタ部１１０には、作像部１１２の上部に開閉可能な上蓋部であるカバー部材１５０が配置されている。カバー部材１５０は、支点軸１５１でプロッタ部１１０に対して回動可能に構成されている（図１、図２中矢印Ｄ）。
【００３４】
画像読取装置１２０は、スキャナ上ユニット１２１とスキャナ下ユニット１２２とを備えており、スキャナ上ユニット１２１には、操作パネル１２７が配置されている。また、スキャナ下ユニット１２２にはコンタクトガラス１２４が配置された原稿ガイド部１２６が配置され、コンタクトガラス１２４の下方にはＣＣＤ撮像素子１２５が配置されている。
【００３５】
また、画像読取装置１２０には、原稿を載置する原稿テーブル１６０が延設されている。この原稿テーブル１６０は、開設された長穴部１６２でテーブル側壁１２３に形成された支点軸１６１に取り付けられており、原稿テーブル１６０の一端部１６３が前記原稿ガイド部１２６の上面に乗り上がり、前記原稿ガイド部１２６と略面一となる原稿案内位置（図１中破線で示した）から、一端部１６３が原稿ガイド部１２６と離間された引出位置（図１中実線で示した）にスライドさせることができる（図１、図２中矢印Ｂ）。
【００３６】
また、原稿テーブル１６０は、引出位置から前記支点軸１６１を中心として他端が持ち上げられ、前記カバー部材１５０の開放の障害とならない開放位置に回動することができる（図１、図２中矢印Ｃ）。
【００３７】
この例では、原稿ガイド部１２６には、図３及び図４に示すように、原稿テーブル１６０が正しく原稿案内位置に配置されているか否かを検出するテーブルセット検知センサ１８１を配置する他、テーブル側壁１２３には、原稿案内位置及び引出位置において原稿テーブル１６０の下方を受ける受台１８２、開放位置において原稿テーブル１６０の上面を受けるストッパ部材１８３が配置されている。なお、テーブルセット検知センサ１８１、受台１８２、前記ストッパ部材１８３は、必要に応じて設ければよく、ストッパ部材１８３を設けない構造を採用することができる。
【００３８】
また、本例では、カバー部材１５０と、原稿テーブル１６０とは連動して回動させるため、カバー部材１５０の端部１５２と、原稿テーブル１６０の一端部１６３とをアーム１７０で連結している。アーム１７０は、カバー部材１５０側の支点軸１７１と、原稿テーブル１６０側の支点軸１７２とで回動可能に配置され、アーム１７０の原稿テーブル１６０側の支点軸１７１は、長孔部１７３に係合されており、原稿テーブル１６０の前後方向の移動時におけるアーム１７０における支点軸１７１の位置変化に対応できるようにしている。
【００３９】
次に、本例に係る画像読取装置１２０における原稿テーブル１６０の動作について図５は画像読取装置の原稿テーブルの位置を示すものであり、（ａ）は原稿案内位置を示す模式図、（ｂ）は引出位置を示す模式図、（ｃ）は開放位置を示す模式図である。なお、各図ではカバー部材１５０の動作については図示していない。原稿読取時においては、原稿テーブル１６０は図５（ａ）に示すように、原稿ガイド部１２６の端部上面に乗り上げて配置され、その端部はテーブル側壁１２３に設けた受台１８２によって支持されている。
【００４０】
この状態から、原稿テーブル１６０を矢印Ｂ方向に引き出すと、図５（ｂ）に示す様に、原稿テーブル１６０は、長穴部１６２の範囲で支点軸１６１がスライドするように移動し引出状態となる。
【００４１】
原稿テーブル１６０を引出状態とすると、原稿テーブル１６０は支点軸１６１を支点として、原稿ガイド部１２６と接触することなる矢印Ｃの方向に、ストッパ部材１８３に接触するまで回動させ、開放位置とすることができる。
【００４２】
この原稿テーブル１６０の状態はテーブルセット検知センサ１８１で検知することができる。即ち、原稿テーブル１６０が引き出され、原稿ガイド部１２６から離れた状態ではテーブルセット検知センサ１８１は原稿テーブル２を検出しないため、原稿ガイド部１２６上に原稿テーブル２が正しくセットされていないことが分かる。
【００４３】
このテーブルセット検知センサ１８１からの信号に基づいて操作パネル１２７に原稿テーブル１６０の状態を表示することができる。図６は画像読取装置の操作パネルの制御系を示すブロック図、図７は画像読取装置の操作パネルの作動を示すフローチャートである。制御系１９０において、ＣＰＵ１９１はテーブルセット検知センサ１８１から得られる原稿テーブルセット状態の情報に基づいて、操作パネル１２７の表示画面を制御する。これにより、ユーザは原稿テーブル１６０が原稿読取位置に設置されていることを確認することができる。
【００４４】
画像読取装置１２０が原稿挿入の待機状態であるとき（ステップＳＴ１）、テーブルセット検知センサ１８１は原稿テーブル１６０が所定の位置にあるかどうかをモニターしている（ステップＳＴ２）。原稿テーブル１６０が所定の位置にある場合（ステップＳＴ２のｙｅｓ）は操作パネル１２７上に警告表示を表示しない（ステップＳＴ４）。そして、原稿テーブル１６０が所定の位置から外れたとき（ステップＳＴ２のｎｏ）、即ち原稿テーブル１６０が引き出されたり、回動されたりしたとき、操作パネル１２７上に警告表示、例えば「原稿テーブルがセットされていません」「原稿テーブルが空いています」などのメッセージを表示する（ステップＳＴ３）。なおこの例では、画像形成装置が待機状態となっている場合を例として説明したが、画像形成装置の動作中に原稿テーブルが移動された場合にも、同様の動作をさせてもよい。また、テーブルセット検知センサ１８１からの信号に基づいて原稿の読み取り動作の許否を決定するようにしてもよい。
【００４５】
次に画像形成装置の他の例について説明する。この例に係る画像形成装置２００において、カバー部材２５０と、原稿テーブル２６０とは連動させない。即ち、カバー部材２５０は、軸２５１でプロッタ部１１０に回動可能に接続される他、原稿テーブル２６０は長穴部２６２を形成し支点軸２６１に取り付けられている。なお、第１の実施例に係る画像形成装置と同一の部材には同一の符号を付してある。この例によれば、カバー部材２５０また図９に示すプロッタカバー非連動型の場合、排紙された用紙１４０を取り出す際に原稿テーブル２６０だけを開放すれば手を挿入するスペースが広くなるため、用紙取り出し作業性を向上することができる。
【符号の説明】
【００４６】
１００  画像形成装置
１１０  プロッタ部
１１１  給紙部
１１２  作像部
１２０  画像読取装置
１２１  スキャナ上ユニット
１２２  スキャナ下ユニット
１２３  テーブル側壁
１２４  コンタクトガラス
１２５  ＣＣＤ撮像素子
１２６  原稿ガイド部
１２７  操作パネル
１３０  胴内排紙部
１３１、１３２  支柱
１４０  用紙
１５０  カバー部材
１５１  支点軸
１５２  端部
１６０  原稿テーブル
１６１  支点軸
１６２  長穴部
１６３  一端部
１７０  アーム
１７１  支点軸
１７２  支点軸
１７３  長孔部
１８１  テーブルセット検知センサ
１８２  受台
１８３  ストッパ部材
１９０  制御系
１９１  ＣＰＵ
２００  画像形成装置
２５０  カバー部材
２５１  軸
２６０  原稿テーブル
２６１  支点軸
２６２  長穴部
【先行技術文献】
【特許文献】
【００４７】
【特許文献１】特開２００８−１７０６１２公報
【特許文献２】特開２００６−２７６４８０公報
【特許文献３】特開平０９−２３３２７４公報
【図１】
2010288051.tif 000003
【図２】
2010288051.tif 000004
【図３】
2010288051.tif 000005
【図４】
2010288051.tif 000006
【図５】
2010288051.tif 000007
【図６】
2010288051.tif 000008
【図７】
2010288051.tif 000009
【図８】
2010288051.tif 000010
【図９】
2010288051.tif 000011
【図１０】
2010288051.tif 000012
【図１１】
2010288051.tif 000013